(57)【要約】【課題】あらゆる原因によって生じた画像の周期的あるいは準周期的な変動、うねり等の画質異常を自動的に検出し、前記変動やうねりを低減あるいは除去することによって、画質をさらに改善する。【解決手段】外部からディジタル画像データを取り込む画像取り込み部１と、前記ディジタル画像データが周期性をもって変動しているかどうかを判断し、前記ディジタル画像データが周期性をもって変動しているときにディジタル画像データの変動に起因する周波数スペクトルの周波数成分を検出する周波数検出処理部２と、前記周波数検出処理部２によって検出された周波数成分を低減するフィルタ処理部３と、前記周波数成分が低減された周波数スペクトルを時間スペクトルデータとして第２ディジタル画像データを生成する画像生成部４とを備えた【選択図】図２
2008113341.tif 000002
【特許請求の範囲】
【請求項１】
外部からディジタル画像データを取り込む画像取り込み手段と、
前記ディジタル画像データが周期性をもって変動しているかどうかを判断し、前記ディジタル画像データが周期性をもって変動しているときにディジタル画像データの変動に起因する周波数スペクトルの周波数成分を検出する周波数検出手段と、
前記周波数検出手段によって検出された周波数成分を低減するフィルタ処理手段と、
前記周波数成分が低減された周波数スペクトルを時間スペクトルデータとして第２ディジタル画像データを生成する画像生成手段と、
を備えた画像処理装置。
【請求項２】
請求項１記載の画像処理装置において、
前記周波数検出手段は、前記ディジタル画像データの周波数スペクトルの第ｎピーク値（ｎ：正の整数）がある閾値以上である場合に前記ディジタル画像データが周期性をもって変動していると判断することを特徴とする画像処理装置。
【請求項３】
請求項１記載の画像処理装置において、
前記周波数検出手段は、前記ディジタル画像データの周波数スペクトルの第ｍピーク値と第ｎピーク値（ｍ、ｎ：正の整数）の差がある閾値以上である場合に前記ディジタル画像データが周期性をもって変動していると判断することを特徴とする画像処理装置。
【請求項４】
請求項１記載の画像処理装置において、
前記周波数検出手段は、前記ディジタル画像データの変動周波数成分の中心周波数を含む周波数帯域を検出することを特徴とする画像処理装置。
【請求項５】
請求項１記載の画像処理装置において、
前記周波数検出手段は、前記ディジタル画像データの変動周波数成分の中心周波数を含む周波数帯域の高調波成分を検出することを特徴とする画像処理装置。
【請求項６】
請求項１記載の画像処理装置において、
前記周波数検出手段は、前記ディジタル画像データの周波数スペクトルの第ｍピーク値〜第ｎピーク値（ｍ、ｎ：正の整数）を前記ディジタル画像データの変動周波数成分として検出することを特徴とする画像処理装置。
【請求項７】
請求項１記載の画像処理装置において、
前記フィルタ処理手段は、検出した前記変動周波数成分を重み付け処理によって減衰させることを特徴とする画像処理装置。
【請求項８】
請求項１記載の画像処理装置において、
前記フィルタ処理手段は、検出した前記変動周波数成分を重み付け処理によって除去させることを特徴とする画像処理装置。
【請求項９】
請求項１記載の画像処理装置において、
任意のデータを時間領域データと周波数領域データに相互に変換するためのフーリエ変換処理手段及び逆フーリエ変換処理手段を備えていることを特徴とする画像処理装置。
【請求項１０】
請求項１ないし９のいずれか１項に記載の画像処理装置において、
前記画像取り込み手段によって取り込まれたディジタル画像データと、前記周波数検出手段によって検出された周波数成分情報を記憶する情報記憶手段を備えていることを特徴とする画像処理装置。
【請求項１１】
請求項１ないし１０のいずれか１項に記載の画像処理装置において、
前記周波数検出手段は所定のライン数の前記ディジタル画像データを用いて前記周波数成分を検出することを特徴とする画像処理装置。
【請求項１２】
請求項１ないし１０のいずれか１項に記載の画像処理装置において、
前記周波数検出手段は所定の領域の前記ディジタル画像データを用いて前記周波数成分を検出することを特徴とする画像処理装置。
【請求項１３】
請求項１ないし１２のいずれか１項に記載の画像処理装置において、
前記周波数検出手段は既知の情報を用いて前記周波数成分を検出することを特徴とする画像処理装置。
【請求項１４】
請求項１３記載の画像処理装置において、
前記ディジタル画像データからリアルタイムで検出するか前記既知の情報を用いて検出するかを切り替える切り替え手段を備えていることを特徴とする画像処理装置。
【請求項１５】
請求項１ないし１４のいずれか１項に記載の画像処理装置を備えていることを特徴とする画像読み取り装置。
【請求項１６】
請求項１ないし１４のいずれか１項に記載の画像処理装置を備えていることを特徴とする画像形成装置。
【請求項１７】
請求項１５記載の画像読み取り装置を備えていることを特徴とする画像形成装置。
【請求項１８】
外部からディジタル画像データを取り込む第１の工程と、
前記第１の工程で取り込んだ前記ディジタル画像データが周期性をもって変動しているかどうかを判断し、前記ディジタル画像データが周期性をもって変動しているときにディジタル画像データの変動に起因する周波数スペクトルの周波数成分を検出する第２の工程と、
前記第２の工程で検出された周波数成分を低減する第３の工程と、
前記第３の工程で周波数成分が低減された周波数スペクトルを時間スペクトルデータとして第２ディジタル画像データを生成する第４の工程と、
を備えた画像処理方法。
【請求項１９】
請求項１８記載の画像処理方法において、
前記第１の工程で取り込まれたディジタル画像データと、前記第２の工程で検出された周波数成分情報を記憶する第５の工程を備えていることを特徴とする画像処理方法。
【発明の詳細な説明】
【技術分野】
【０００１】
本発明は、ディジタル画像データに補正を行う画像処理装置、この画像処理装置を備え読み取り画像信号をディジタル信号に変換し画像処理を施す画像読み取り装置、及びこの画像読み取り装置を備えた画像形成装置、及びこれらの各装置で実施される画像処理方法に関する。
【背景技術】
【０００２】
従来から被写体をディジタル画像データとして取り込む画像取り込み手段が知られている。この画像取り込み手段はリニアＣＣＤにより被写体からの反射光あるいは散乱光を光電変換することによってアナログ情報信号を得て、得られたアナログ情報信号を画素毎にサンプリングし、Ａ／Ｄ変換することによりディジタル画像データとして処理することを可能としている。
【０００３】
この一例として例えば特許文献１に記載された発明が公知である。この発明は、光像を受光して受光量に応じたアナログ信号を出力するライン状の光電変換手段と、原稿画像を露光してその原稿画像に応じた光像を前記光電変換手段に導く光学系と、前記光電変換手段から出力されるアナログ信号をディジタル信号に変換するＡ／Ｄ変換手段と、前記光電変換手段及び前記Ａ／Ｄ変換手段の各動作クロックを発生させるタイミング信号発生手段と、このタイミング信号発生手段に対する基準クロックを発生させる基準クロック発生手段と、これらのタイミング信号発生手段と基準クロック発生手段との間に介在し、前記基準クロックを周波数変調するスペクトラム拡散クロック発生手段とを備え、主走査ライン同期信号の周期が前記スペクトラム拡散クロック発生手段の変調周波数の約整数倍＋半周期に設定された画像読み取り装置を特徴としている。
【０００４】
そして、この構成により、世界各国のＥＭＩ規制をクリアできるほどにＥＭＩを低減させることができ、結果として放射電磁波のレベルを小さくすることが可能となるという効果を奏している。
【特許文献１】特許第３６３１６３７号公報
【発明の開示】
【発明が解決しようとする課題】
【０００５】
前記特許文献１記載の発明では、主走査ライン同期信号の周期とスペクトラム拡散クロック発生手段の変調周波数との関係を所定の関係に設定し、ＥＭＩ低減を図っているが、近年ではさらに高速化、高画質化等が求められ、アナログ情報信号取得後の処理に対して種々の工夫がなされている。しかし、このような工夫に伴い、様々な副作用も生じているのが現状である。
【０００６】
例えば、処理の高速化を目的に、リニアＣＣＤ画素データの並列処理が行われている。画素データは偶数、奇数画素分割、１ライン中の前半、後半２分割処理が行われているが、これは同時に、各素子やＡＳＩＣの特性のバラツキが各数値に影響を及ぼす。結果として、仮に一定の明るさをもつ被写体画像であっても、画像データのｎ画素毎あるいはライン前半−後半各部分毎に異なる数値をもつディジタル画像データとなる。また、放射されるノイズの最大ピーク強度の低減を目的に、ＳＳＣＧ（Spread Spectrum Clock Generator）が用いられる。この副作用としては、タイミングが規定される時間幅が常に変化するため、各ＡＳＩＣのタイミングの不安定化などが原因で画像にスジとなって現れる。これらの異常画像予防策としては様々な手法が提案されているが、その効果は十分ではないのが現状である。
【０００７】
そこで本発明が解決しようとする課題は、あらゆる原因によって生じた画像の周期的あるいは準周期的な変動、うねり等の画質異常を自動的に検出し、前記変動やうねりを低減あるいは除去することによって、画質をさらに改善することにある。
【課題を解決するための手段】
【０００８】
前記課題を解決するため、第１の手段は外部からディジタル画像データを取り込む画像取り込み手段と、前記ディジタル画像データが周期性をもって変動しているかどうかを判断し、前記ディジタル画像データが周期性をもって変動しているときにディジタル画像データの変動に起因する周波数スペクトルの周波数成分を検出する周波数検出手段と、前記周波数検出手段によって検出された周波数成分を低減するフィルタ処理手段と、前記周波数成分が低減された周波数スペクトルを時間スペクトルデータとして第２ディジタル画像データを生成する画像生成手段と、を備えた画像処理装置を特徴とする。
【０００９】
第２の手段は、第１の手段において、前記周波数検出手段が前記ディジタル画像データの周波数スペクトルの第ｎピーク値（ｎ：正の整数）がある閾値以上である場合に前記ディジタル画像データが周期性をもって変動していると判断することを特徴とする。
【００１０】
第３の手段は、第１の手段において、前記周波数検出手段が前記ディジタル画像データの周波数スペクトルの第ｍピーク値と第ｎピーク値（ｍ、ｎ：正の整数）の差がある閾値以上である場合に前記ディジタル画像データが周期性をもって変動していると判断することを特徴とする。
【００１１】
第４の手段は、第１の手段において、前記周波数検出手段が前記ディジタル画像データの変動周波数成分の中心周波数を含む周波数帯域を検出することを特徴とする。
【００１２】
第５の手段は、第１の手段において、前記周波数検出手段が前記ディジタル画像データの変動周波数成分の中心周波数を含む周波数帯域の高調波成分を検出することを特徴とする。
【００１３】
第６の手段は、第１の手段において、前記周波数検出手段が前記ディジタル画像データの周波数スペクトルの第ｍピーク値〜第ｎピーク値（ｍ、ｎ：正の整数）を前記ディジタル画像データの変動周波数成分として検出することを特徴とする。
【００１４】
第７の手段は、第１の手段において、前記フィルタ処理手段が検出した前記変動周波数成分を重み付け処理によって減衰させることを特徴とする。
【００１５】
第８の手段は、第１の手段において、前記フィルタ処理手段が検出した前記変動周波数成分を重み付け処理によって除去させることを特徴とする。
【００１６】
第９の手段は、第１の手段において、任意のデータを時間領域データと周波数領域データに相互に変換するためのフーリエ変換処理手段及び逆フーリエ変換処理手段を備えていることを特徴とする。
【００１７】
第１０の手段は、第１ないし第９のいずれかの手段において、前記画像取り込み手段によって取り込まれたディジタル画像データと、前記周波数検出手段によって検出された周波数成分情報を記憶する情報記憶手段を備えていることを特徴とする。
【００１８】
第１１の手段は、第１ないし第１０のいずれかの手段において、前記周波数検出手段が所定のライン数の前記ディジタル画像データを用いて前記周波数成分を検出することを特徴とする。
【００１９】
第１２の手段は、第１ないし第１０のいずれかの手段において、前記周波数検出手段は所定の領域の前記ディジタル画像データを用いて前記周波数成分を検出することを特徴とする。
【００２０】
第１３の手段は、第１ないし第１２のいずれかの手段において、前記周波数検出手段が既知の情報を用いて前記周波数成分を検出することを特徴とする。
【００２１】
第１４の手段は、第１３の手段において、前記ディジタル画像データからリアルタイムで検出するか前記既知の情報を用いて検出するかを切り替える切り替え手段を備えていることを特徴とする。
【００２２】
第１５の手段は、第１ないし第１４のいずれかの手段に係る画像処理装置を画像読み取り装置が備えていることを特徴とする。
【００２３】
第１６の手段は、第１ないし第１４のいずれかの手段に係る画像処理装置を画像形成装置が備えていることを特徴とする。
【００２４】
第１７の手段は、第１５の手段に係る画像読み取り装置を画像形成装置が備えていることを特徴とする。
【００２５】
第１８の手段は、外部からディジタル画像データを取り込む第１の工程と、前記第１の工程で取り込んだ前記ディジタル画像データが周期性をもって変動しているかどうかを判断し、前記ディジタル画像データが周期性をもって変動しているときにディジタル画像データの変動に起因する周波数スペクトルの周波数成分を検出する第２の工程と、前記第２の工程で検出された周波数成分を低減する第３の工程と、前記第３の工程で周波数成分が低減された周波数スペクトルを時間スペクトルデータとして第２ディジタル画像データを生成する第４の工程と、を備えた画像処理方法を特徴とする。
【００２６】
第１９の手段は、第１８の手段に係る画像処理方法において、前記第１の工程で取り込まれたディジタル画像データと、前記第２の工程で検出された周波数成分情報を記憶する第５の工程を備えていることを特徴とする。
【００２７】
なお、後述の実施形態では、画像取り込み手段は画像データ取り込み部１に、周波数検出手段は周波数検出処理部２に、フィルタ手段はフィルタ処理部３に、画像生成手段は画像データ生成部４に、フーリエ変換処理手段フーリエ変換処理部２１に、逆フーリエ変換処理手段はフィルタ処理部３に、情報記憶手段は既知情報、データ記憶部５に、切り替え手段は切り替え処理部６に、画像読み取り装置は符号１０に、画像形成装置が符号１００に、それぞれ対応する。また、周期性をもって変動するとは、周期的な変動及び準周期的な変動を含む。
【発明の効果】
【００２８】
本発明によれば、画像の周期的あるいは準周期的な変動、うねり等の画質異常を自動的に検出し、前記変動やうねりを低減あるいは除去して画質を改善することができる。
【発明を実施するための最良の形態】
【００２９】
以下、図面を参照し、本発明の実施形態について説明する。
【実施例１】
【００３０】
被写体をディジタル画像データとして処理すると、図１（ａ）に示すように、画像データ（図ではランダム信号と仮定）に周期的な変動成分が含まれる場合がある。これは主に放射ノイズ軽減のためのＳＳＣＧ（Spread Spectrum Clock Generator）及びＡＳＩＣその他の異常動作等が原因で起こる。これら変動が生じる原因が明らかであるものについては、これまでに様々な防止策が提案されているが、その効果は十分ではないのが現状である（前記特許文献１）。そこで、本発明の実施形態では、図１（ｃ）及び（ｄ）に示すように、画像データに含まれる変動成分の検出と除去を行う。
【００３１】
本発明の概念について、以下に示す。
【００３２】
得られたディジタル画像データ（図１（ａ））について、データを周波数解析し、データに含まれる変動成分（図１（ａ））を検出する。このデータを周波数領域へ変換すると、同図（ｂ）のような周波数スペクトルで表される。このとき変動成分は赤線スペクトルであることから、画像データに変動成分が含まれていること、及びその周波数成分を特定し、検出することが可能である。変動データ周波数スペクトルは、図１（ｂ）では点線で示され、ピークは画像データ周波数スペクトルに重なり、ピーク以外は０である。
【００３３】
このようにして検出された周波数成分に対して、除去等を目的としたフィルタ処理を施し（同図（ｃ））、処理後の周波数スペクトル（同図（ｃ））を時間軸データへ逆変換することによって変動が軽減及び除去された画像データ（同図（ｄ））が得られる。本実施例はこの図１（ｄ）に示した画像データを抽出するものである。
【００３４】
図２は本実施例に係る画像処理装置の電気的構成を示す機能ブロック図である。同図において、画像処理装置２０は、外部から画像データを取り込む画像データ取り込み部１、取り込んだ画像データに含まれる変動の検知及びその周波数を特定する周波数検出処理部２、周波数検出処理部２の解析結果に基づいて画像に処理を施すフィルタ処理部３、処理を施したデータを第２画像データとして生成する画像データ生成部４からなる。画像データ取り込み部１から周波数検出処理部２及びフィルタ処理部３に取り込んでディジタル画像データＤ１が出力され、周波数検出処理部２からフィルタ処理部３に解析データＤ２が出力され、フィルタ処理部３から画像データ生成部４には周波数データＤ３が出力され、画像データ生成部４から後段に第２ディジタル画像データＤ４が出力される。
【００３５】
図３は周波数検出処理部２の詳細を示すブロック図である。図３において、周波数検出処理部２は、時間領域データを周波数領域データへ変換するフーリエ変換処理部２１、周波数領域データから画像データが変動しているか否かを判断する変動検知処理部２２、画像データが変動していると判断した際にその原因となる周波数成分を特定する変動周波数（ピーク）検出処理部２３から構成されている。画像データを周波数成分へ変換する方法として、処理時間が短い高速フーリエ変換（以下、ＦＦＴと称す）を適用することが望ましく、また、その場合には、ＦＦＴの性質上、信号のサンプリングデータ数は２ｎ（ｎ：整数）とする必要がある。フーリエ変換処理部２１にはディジタル画像データＤ１が入力され、周波数（領域）データＤ３が変動検知処理部２２に出力される。変動検知処理部２２からは周波数領域データから画像データが変動しているか否かを解析した周波数解析データ（１）Ｄ５が出力され、変動周波数検出処理部２３では、前記周波数解析データ（１）Ｄ５とフーリエ変換処理部２１からの周波数データＤ３が入力され、両者を比較して変動周波数（ピーク）を検出し、周波数解析データ（２）Ｄ６（Ｄ２）を出力する
フィルタ処理部３では、例えば検出された変動成分に対して重み付け処理を施して変動の低減あるいは除去を図る。この処理を実行した周波数領域データＤ３を画像データ生成部４で時間領域へ逆変換することによって変動成分が取り除かれた画像データ（以下、第２ディジタル画像データと称す）Ｄ４として生成し、出力する。時間軸への変換は、逆高速フーリエ変換（以下、ＩＦＦＴと称す）が望ましい。ＦＦＴあるいはＩＦＦＴを実行する手段としては、安価かつ簡易であり、また省スペースであることを考慮すると、フーリエ変換処理ＩＣの使用が好ましい。
【００３６】
図４は上述した処理を実行する処理手順の一例を示すフローチャートである。この処理手順においても、時間領域〜周波数領域の相互変換にはＦＦＴ、ＩＦＦＴを用いている。この処理手順では、まず、画像データ取り込み部１でディジタル画像データＤ１を取り込み（ステップ１０１）、周波数検出処理部２のフーリエ変換処理部２１で取り込んだ画像データに含まれる変動の検知及びその周波数を特定する（ステップ１０２）。次いで、変動検知処理部２２で周波数領域データから画像データが変動しているか否かを判断し（ステップ１０３）、変動していれば、ピーク検出処理部２３で変動の原因となる周波数成分を特定する（ステップ１０４）。変動周波数を検出すると、フィルタ処理部３で検出された変動成分に対して重み付け処理を施して変動を低減し、あるいは除去する（ステップ１０５）。その後、画像データ生成部４で前述の第２ディジタル画像データ（Ｄ４）を生成し（ステップ１０６）、生成したデータを出力する（ステップ１０７）。
【００３７】
本実施例によれば、ディジタル画像データが周期的あるいは準周期的に変動している際に変動を検知し（ステップ１０１〜１０３）、その変動成分を検出し（ステップ１０４）、この周波数成分のみを低減あるいは除去する（ステップ１０５，１０６）ので、主走査方向あるいは副走査方向にムラのない画像を得ることができる。
【実施例２】
【００３８】
図５は実施例２に係る画像処理装置の電気的構成を示すブロック図である。この実施例は、予め記憶部に記憶している既知の変動周波数データＤ７に基づいて除去処理を実行する例である。図５において、本実施例に係る画像処理装置は、画像取り込み装置（部）１、フィルタ処理部３、画像データ生成部４及び既知情報、データ記憶部５からなる。画像取り込み装置１は取り込んだアナログ情報をディジタル画像データＤ１としてフィルタ処理部３に出力し、フィルタ処理部３では、既知情報Ｄ７とディジタル画像データＤ１とからフィルタ処理により周波数データＤ３を画像データ生成部４に送る。画像データ生成部４では入力された周波数データに基づいて第２ディジタル画像データＤ４を出力する。
【００３９】
その他、特に説明しない各部は前述の実施例１と同等に構成され、同等に機能する。
【００４０】
この実施例２のように構成すると、既知情報Ｄ７を用いることにより変動検知処理部２２及び変動検出処理部２３は不要となり、さらに周波数領域での変動成分除去と等価な処理を時間領域で行うことにより、図５に示すような、より簡易な構成の画像処理装置を提供することができる。
【実施例３】
【００４１】
図６は実施例３に係る画像処理装置の電気的構成を示すブロック図である。この実施例は、既知情報として変動周波数データだけではなく、各処理毎に画像データ及び変動周波数成分データを取り込む機能を有したものである。図６において、本実施例に係る画像処理装置は、画像取り込み装置（部）１、周波数検出処理部２、フィルタ処理部３、画像データ生成部４及び既知情報、データ記憶部５からなる。画像取り込み装置１は取り込んだアナログ情報をディジタル画像データＤ１として既知情報、データ記憶部５に出力する。既知情報、データ記憶部５は周波数検出処理部２に前記画像取り込み装置１から入力されたディジタル画像データを出力し、周波数検出処理部２は実施例１において前記図３を参照して説明した処理を実行し、画像データを周波数成分に変換した解析データＤ２（周波数解析データ（１）Ｄ５）を既知情報、データ記憶部５に出力する。既知情報、データ記憶部５はフィルタ処理部３に前記周波数解析データ（１）Ｄ５を出力し、フィルタ処理部３は前述のように検出された変動成分に対して重み付け処理を施した周波数解析データ（２）Ｄ６として画像データ生成部４に出力する。画像データ生成部４では入力された周波数解析データ（２）Ｄ６を時間領域へ逆変換することによって変動成分が取り除かれた第２ディジタル画像データＤ４として生成し、出力する。出力された第２ディジタル画像データはＤ４既知情報、データ記憶部５に送られて記憶されるとともに、後段に出力される。
【００４２】
その他、特に説明しない各部は前述の実施例１と同等に構成され、同等に機能する。
【００４３】
本実施例によれば、過去に解析した画像データと同等あるいは類似の画像であれば、既知情報、データ記憶部５に記憶されている記憶データの中からそれに対応する変動周波数成分データを呼び出し、その情報を基に処理を行うことが可能となる。
【実施例４】
【００４４】
図７は実施例４に係る画像処理装置の電気的構成を示すブロック図である。この実施例は、実施例３の画像処理装置（図６）に対して切り替え処理部６を介して画像取り込み部１、周波数検出処理部２、フィルタ処理部３、画像データ生成部４と既知情報、データ記憶部５とを接続したものである。本実施例では、このように前記各部１，２，３，４と既知情報、データ記憶部５との間に切り替え処理部６を設け、この切り替え処理部６によってリアルタイム処理／既知情報処理を任意に切り替えることができるようにしている。切り替え処理部６は画像データについてリアルタイム処理か既知情報処理かを切り替える。これにより、各処理データを現在の解析データか既知データかの切り替えを行い、状況に適した処理が可能となる。
【００４５】
その他、特に説明しない各部は前述の実施例１及び３と同等に構成され、同等に機能する。
【００４６】
本実施例によれば、すでに解析した画像情報及び周波数帯域情報あるいは予め処理すべき情報が既知である場合に、リアルタイム処理／既知情報処理を任意に切り替えることができるので、状況に応じた処理が可能となり、また、処理をより高速化することができる。
【実施例５】
【００４７】
図８は実施例５に係る画像形成装置の電気的構成を示すブロック図である。実施例１ないし４は、ディジタル画像データから変動成分除去処理を行う画像処理装置についての実施例であるが、本実施例は実施例１ないし４の画像処理装置を画像形成装置に適用したものである。
【００４８】
図８において、画像形成装置５０は画像読み取り部１０、画像処理部２０、及びプリンタエンジン３０とから基本的に構成されている。画像読み取り部１０は実施例１ないし４における画像データ取り込み部（装置）１に対応し、画像データの取り込みをＣＣＤ１１によって光学的に行う。すなわち、本実施例では、画像読み取り部１０と画像処理部２０とによって画像読み取り装置４０が構成されている。言い換えると、画像読み取り装置４０が画像読み取り部１０に加えて画像処理部２０を備えた構成となっている。
【００４９】
画像読み取り部１０は、例えば、ディジタル複写機におけるスキャナ装置であり、原稿画像をＣＣＤリニアイメージセンサ（以下ＣＣＤ）１１で読み取って光電変換されたアナログ画像データをアナログ処理回路部１２へ出力する。アナログ処理回路部１２では、アナログ画像データに対してサンプルホールド処理、黒レベル補正、Ａ／Ｄ変換などの各種画像処理を施したのち、１０ビットのディジタル画像データとしてＬＶＤＳインターフェース１３へ出力する。ディジタル画像データは、ＬＶＤＳインターフェース１３から後段の画像処理部２０へ出力され、シェーディング補正やγ補正などの画像処理を施したのち、バスライン３１を介してプリンタエンジン３０に伝送される。画像読み取り部１０内のＣＣＤ１１、アナログ処理回路部１２、ＬＶＤＳ１３の各種タイミングクロックは、周波数拡散クロック生成部１４において発信器１５からのクロックに基づいて生成され、供給される。
【００５０】
画像処理部２０は画像読み取り部１０からディジタル画像データを受け取るＬＶＤＳインターフェース２１と、受け取ったディジタル画像データを処理する画像処理ユニット２２とを備えている。画像処理ユニット２２は前記実施例１に対応づければ、周波数検出処理部２、フィルタ処理部３及び画像データ生成部４から構成され、各部は前記実施例１で説明した機能を備え、実施例１で説明した通り動作する。
【００５１】
このように構成すると、画像読み取り部１０で取得したディジタル画像データに対し、ＬＶＤＳインターフェース２１からのディジタル画像データが周波数拡散クロック生成部１４の変調周期に応じた変動を生じていた場合、データの周波数スペクトルにはその周波数成分が強く現れる。これを周波数検出処理部２にて検知及び検出し、フィルタ処理部３において取り除く。その処理データを基に画像データ生成部４で変動を除去したデータを生成し、バスライン４０を介してプリンタエンジン３０へ伝送されることになる。そして、プリンタエンジン３０において、可視画像として印字出力される。
【００５２】
なお、図８では、画像処理装置２０は実施例１を適用した例として説明したが、実施例２ないし４を適用しても画像読み取り装置４０、あるいは画像形成装置５０を構成できることは言うまでもない。
【００５３】
したがって、本実施例によれば、前記実施例１ないし４に係る画像処理装置の効果を読み取り装置及び画像形成装置で奏することができる。
【図面の簡単な説明】
【００５４】
【図１】本発明の概要を説明するための画像データ成分と、この画像データ成分に含まれる変動成分の状態を示す図である。
【図２】実施例１に係る画像処理装置の電気的構成を示す機能ブロック図である。
【図３】図２における周波数検出処理部の詳細を示すブロック図である。
【図４】実施例１における処理の処理手順を示すフローチャートである。
【図５】実施例２に係る画像処理装置の電気的構成を示すブロック図である。
【図６】実施例３に係る画像処理装置の電気的構成を示すブロック図である。
【図７】実施例４に係る画像処理装置の電気的構成を示すブロック図である。
【図８】実施例５に係る画像形成装置の電気的構成を示すブロック図である。
【符号の説明】
【００５５】
１  画像データ取り込み部（装置））
２  周波数検出処理部
３  フィルタ処理部
４  画像データ生成部
５  既知情報、データ記憶部
６  切り替え処理部
１０  画像読み取り部
１１  ＣＣＤ
１２  アナログ処理回路部
１４  周波数拡散クロック生成部
１５  発振器
２０  画像処理部
２１  フーリエ変換処理部
２２  変動検知処理部
２３  変動周波数検出処理部
２６  画像処理ユニット
３０  プリンタエンジン
４０  画像読み取り装置
５０  画像形成装置
【図１】
2008113341.tif 000003
【図２】
2008113341.tif 000004
【図３】
2008113341.tif 000005
【図４】
2008113341.tif 000006
【図５】
2008113341.tif 000007
【図６】
2008113341.tif 000008
【図７】
2008113341.tif 000009
【図８】
2008113341.tif 000010